(57)【要約】      （修正有）【課題】様々な形状に製作するときの制約が少なく、また皮膚に接触したときに、違和感をもたらすことがなく、人体に優しい美容装置ヘッドを提供する。【解決手段】非導電性成形原料を含む粉末状の混合原料により成形されている第１伝達部２１０と、導電性物質を含み、第１伝達部の少なくとも一部を覆うように形成された第２伝達部２２０とを含む構成とし、また非導電性成形原料を、ジルコニア粉末、宝石パウダー、プラスチック粉末の中から一つ以上選択される粉末を含む構成とする。【選択図】図２
2020075130.tif 000002
【特許請求の範囲】
【請求項１】
非導電性成形原料を含む粉末状の混合原料により成形されている第１伝達部と、
導電性物質を含み、前記第１伝達部の少なくとも一部を覆うように形成されている第２伝達部とを含む美容装置ヘッド。
【請求項２】
前記非導電性成形原料は、ジルコニア粉末、宝石パウダー、プラスチック粉末の中から一つ以上選択される粉末を含む、請求項１に記載の美容装置ヘッド。
【請求項３】
前記導電性物質は、金、銀、スズ、亜鉛、ＳＴＳおよびアルミニウムの中から一つ以上選択される、請求項１に記載の美容装置ヘッド。
【請求項４】
前記第２伝達部は、前記第１伝達部の外表面の少なくとも一部を覆うように形成されている、請求項１に記載の美容装置ヘッド。
【請求項５】
前記第２伝達部は、前記第１伝達部の内表面の少なくとも一部を覆うように形成されている、請求項１に記載の美容装置ヘッド。
【請求項６】
前記第２伝達部の厚さは１．０μｍ〜１００．０μｍである、請求項４または５に記載の美容装置ヘッド。
【請求項７】
前記第２伝達部は、前記第１伝達部の前記外表面の５０％以上８０％以下を覆うように形成される、請求項４に記載の美容装置ヘッド。
【請求項８】
前記第２伝達部は格子状のパターン形状を有する、請求項４に記載の美容装置ヘッド。
【請求項９】
前記第２伝達部の前記格子状パターンに囲まれた前記第１伝達部の外表面の中心間の間隔は、ヘッドの中心（Ｘ）から離れるほど大きくなる、請求項８に記載の美容装置ヘッド。
【請求項１０】
前記第２伝達部は、ヘッドの中心（Ｘ）を基準に回転する螺旋状を有する、請求項４に記載の美容装置ヘッド。
【請求項１１】
請求項１〜１０のいずれか一項に記載の美容装置ヘッドと、
ユーザーが把持できるように形成された本体とを含む美容装置において、
前記本体は、前記第２伝達部に電流を印加させるための電流発生部を含む美容装置。
【請求項１２】
前記本体は、超音波発振回路の電力供給を受け、超音波振動を発生させる振動部を含み、
超音波振動は、前記第１伝達部によってユーザーの皮膚に伝達される、請求項１１に記載の美容装置。
【請求項１３】
美容装置ヘッドを製造するための方法において、
非導電性成形原料と、バインダー粉末と、着色剤粉末とをブレンダー（blender）で混合して第１伝達部を製造するための混合原料を準備する段階と、
モールドに前記混合原料を供給する段階と、
前記混合原料の粉末粒子を相互結合させるように前記モールドを加圧して前記第１伝達部を成形する段階と、
前記混合原料の粉末粒子の間において拡散による化学的結合をするように、前記第１伝達部を熱処理して焼結させる段階と、
前記第１伝達部を研磨機で研磨する段階と、
前記第１伝達部の少なくとも一部を覆うように、導電性を有する第２伝達部によりコーティングする段階とを含む、美容装置ヘッドを製造するための方法。
【発明の詳細な説明】
【技術分野】
【０００１】
本発明は、美容装置ヘッド、美容装置および美容装置ヘッドを製造するための方法に関するものである。
【背景技術】
【０００２】
最近、生活レベルが向上するにつれ、皮膚管理への関心が増大している。このような関心を反映して一般家庭で容易に皮膚管理をするための様々な美容装置が発売されている。例えば、美容装置には、皮膚に超音波振動を伝達する超音波美容装置、ガルバニック電流を印加するガルバニック美容装置、プラズマを印加するプラズマ美容装置、冷温マッサージ機などと、様々な美容装置がある。
【０００３】
超音波美容装置は、超音波キャビテーション（ultrasonic cavitation）のメカニズムによる衝撃波で皮膚の中に浸透し、皮膚の分泌物を皮膚の外に排出させて、超音波の稼働による摩擦熱で筋肉の硬直をほぐし、温熱および振動作用により皮膚の脂肪を分解するようにする装置である。ガルバニック美容装置は、ガルバニックイオン（Galvanic ion）を発生させ、皮膚に残存している老廃物の除去、または、化粧水を皮膚の奥深くまで浸透させて吸収されるようにする美容装置である。プラズマ美容装置は、プラズマを皮膚に印加し、人体の皮膚または毛穴の中の細菌を撲滅して、有機物や異物を除去する装置である。冷温マッサージ機は、熱電素子を利用して高温と低温を同時に発生させ、冷温マッサージを可能にする皮膚美容装置である。
【０００４】
このような従来の皮膚美容装置のヘッドは、チタン（Ｔｉ）またはステンレス鋼（ＳＴＳ）などの金属材料を用いてプレス加工により製作されており、プレス加工で製作された美容装置のヘッドは、平面状にしか製作できないため、様々な形状の美容装置ヘッドを製作するのに多く制約されていた。
【０００５】
また、このような従来の皮膚美容装置のヘッドは相対的に低い温度を示す冷たい金属材質からなっており、皮膚に接触すると、違和感をもたらすことがあり、人体に優しい製品になり難しいという欠点がある。
【先行技術文献】
【特許文献】
【０００６】
【特許文献１】韓国特許出願公開第１０−２０１７−００５７９２１号公報
【発明の概要】
【発明が解決しようとする課題】
【０００７】
本発明の実施例は、前記のような問題を解決するために提案されたものであり、形状自由化による様々なデザインを実現できる美容装置ヘッド、美容装置および美容装置ヘッドを製造するための方法を提供することとする。
【０００８】
また、本発明の実施例は、超音波美容装置、ガルバニック美容装置、プラズマ美容装置、冷温マッサージ機などに適用可能な美容装置ヘッド、美容装置および美容装置ヘッドを製造するための方法を提供することとする。
【課題を解決するための手段】
【０００９】
本発明の一実施例による美容装置ヘッドは、非導電性成形原料を含む粉末状の混合原料により成形されている第１伝達部と、導電性物質を含み、第１伝達部の少なくとも一部を覆うように形成されている第２伝達部とを含み得る。
【００１０】
本発明の一実施例による美容装置ヘッドの非導電性成形原料は、ジルコニア粉末、宝石パウダー、プラスチック粉末の中から一つ以上選択される粉末を含み得る。
【００１１】
本発明の一実施例による美容装置ヘッドの導電性物質は、金、銀、スズ、亜鉛、ＳＴＳ、およびアルミニウムの中から一つ以上選択され得る。
【００１２】
本発明の一実施例による美容装置ヘッドの第２伝達部は、第１伝達部の外表面の少なくとも一部を覆うように形成され得る。
【００１３】
本発明の一実施例による美容装置ヘッドの第２伝達部は、第１伝達部の内表面の少なくとも一部を覆うように形成され得る。
【００１４】
本発明の一実施例による美容装置ヘッドの第２伝達部の厚さは、１．０μｍ〜１００．０μｍであり得る。
【００１５】
本発明の一実施例による美容装置ヘッドの第２伝達部は、第１伝達部の外表面の５０％以上８０％以下を覆うように形成され得る。
【００１６】
本発明の一実施例による美容装置ヘッドの第２伝達部は、格子状のパターン形状を有し得る。
【００１７】
本発明の一実施例による美容装置ヘッドの第２伝達部の格子状パターンに囲まれた第１伝達部の外表面の中心間の間隔は、ヘッドの中心（Ｘ）から離れるほど大きくなり得る。
【００１８】
本発明の一実施例による美容装置ヘッドの第２伝達部は、ヘッドの中心（Ｘ）を基準に回転する螺旋状を有し得る。
【００１９】
本発明の一実施例による美容装置は、美容装置ヘッドと、ユーザーが把持できるように形成された本体とを含み、本体は第２伝達部に電流を印加させるための電流発生部を含み得る。
【００２０】
本発明の一実施例による美容装置において、本体は超音波発振回路の電力供給を受け超音波振動を発生させる振動部を含み、超音波振動は第１伝達部によってユーザーの皮膚に伝達され得る。
【００２１】
本発明の一実施例による美容装置ヘッドを製造するための方法は、非導電性成形原料と、バインダー粉末と、着色剤粉末とをブレンダー（blender）で混合して、第１伝達部を製造するための混合原料を準備する段階と、モールドに混合原料を供給する段階と、混合原料の粉末粒子を相互結合させるようにモールドを加圧して第１伝達部を成形する段階と、混合原料の粉末粒子の間で拡散による化学的結合をするように、第１伝達部を熱処理して焼結させる段階と、第１伝達部を研磨機で研磨する段階と、第１伝達部の少なくとも一部を覆うように導電性を有する第２伝達部によりコーティングする段階と、を含み得る。
【発明の効果】
【００２２】
本発明の実施例による美容装置ヘッドおよびその製造方法は、形状自由化による多様なデザインを実現することができる。
【００２３】
本発明の実施例による美容装置ヘッドおよびその製造方法は、超音波美容装置、ガルバニック美容装置、プラズマ美容装置、冷温マッサージ機に適用可能である。
【図面の簡単な説明】
【００２４】
【図１】図１は、本発明の一実施例による美容装置ヘッドを含む美容装置の斜視図である。
【図２】図２は、図１における美容装置ヘッドの側断面図および正面図である。
【図３】図３は、本発明の他の実施例による美容装置ヘッドの側断面図および正面図である。
【図４】図４は、本発明のまた他の実施例による美容装置ヘッドの側断面図および正面図である。
【図５】図５は、本発明のまた他の実施例による美容装置ヘッドの側断面図および正面図である。
【図６】図６は、本発明のまた他の実施例による美容装置ヘッドの側断面図および正面図である。
【図７】図７は、本発明のまた他の実施例による美容装置ヘッドの側断面図および正面図である。
【図８】図８は、本発明のまた他の実施例による美容装置ヘッドの側断面図である。
【図９】図９は、本発明のまた他の実施例による美容装置ヘッドの側断面図である。
【図１０】図１０は、本発明の一実施例による美容装置ヘッドおよび本体を含む美容装置の内部を示す断面図である。
【図１１】図１１は、本発明のまた他の実施例による美容装置ヘッドおよび本体を含む美容装置の内部を示す断面図である。
【図１２】図１２は、本発明の一実施例による美容装置ヘッドの製造方法を説明するためのフローチャートである。
【発明を実施するための形態】
【００２５】
以下では、本発明の具体的な実施例について、図面を参照して詳細に説明する。
なお、本発明を説明するに当たって、関連する公知の構成または機能に関する具体的な説明が本発明の要旨を曖昧にし得ると判断される場合には、その詳細な説明を省略する。
【００２６】
図１は、本発明の一実施例による美容装置ヘッドを含む美容装置の斜視図であり、図２〜図９は、美容装置ヘッドの形状に対する様々な実施例を示す。
【００２７】
図１および図２を参照すると、本発明の一実施例による美容装置は、本体１００および美容装置ヘッド２００を含み得る。
【００２８】
本体１００は、ユーザーが把持して操作できるように流線型のデザインを有し得る。本体１００は、美容装置ヘッド２００と結合され得る。
【００２９】
また、本体１００は、後述する超音波発生部、プラズマ発生部、高周波発生部、ガルバニックイオン発生部、電流発生部の中の一つ以上を含み得る。また、本体１００は、前述の超音波発生部、プラズマ発生部、高周波発生部、ガルバニックイオン発生部、電流発生部中の一つ以上を動作させられるスイッチ（図示せず）を含み得る。
【００３０】
また、本体１００は、バッテリー１２０により駆動され、バッテリー１２０は充電して再使用可能なものが提供され得る（図１０および図１１を参照）。一例として、本体１００は、ドッキング部３００に据え置きで保管され、この際、ドッキング部３００はバッテリー１２０を充電できる機能が備えられる。例えば、ドッキング部３００は、外部電源（例えば、ＡＣ２２０Ｖ）を直流電源（例えば、ＤＣ５Ｖ）に変換できるように、充電機能および据え置き機能を担え得る。また、ドッキング部３００は、本体１００を挟んで据え置かせるためのドッキング溝部３１０を備えられる。なお、ドッキング溝部３１０は、本体１００の下部に対応する溝大きさを有し得る。
【００３１】
美容装置ヘッド２００は、非導電性成形原料を含む粉末状の混合原料から成形されている第１伝達部２１０と、第１伝達部２１０の内表面２１１または外表面２１２の少なくとも一部を覆うように形成されている第２伝達部２２０とを含み得る。なお、第１伝達部２１０の外表面２１２とは、美容装置ヘッド２００が本体１００に結合された後、本体１００の外側に位置する部分のことを指す。また、第１伝達部２１０の内表面２１１とは、第１伝達部２１０の表面全体において、外表面２１２以外の部分、すなわち、美容装置ヘッド２００が本体１００に結合された後、本体１００のケースによって囲まれ外部に露出されない部分のことを指す。
【００３２】
第１伝達部２１０は非導電性物質からなっており、後述のように、本体１００に超音波発生部を搭載する場合、第１伝達部２１０により超音波振動をユーザーの皮膚に伝達することができる。
【００３３】
また、第１伝達部２１０は、非導電性物質を成形原料として、粉末射出のような射出成形により形成され得る。非導電性成形原料は、ジルコニア粉末、宝石パウダー、プラスチック粉末のいずれかであり得、これらの１つ以上の組み合わせでもあり得る。なお、宝石パウダーは、ダイヤモンド、ルビー、サファイア、エメラルド、トパーズ、水晶、アメジスト、珊瑚、真珠、オパール、オニキス、ダイオプサイド、ラピスラズリ、ロードクロサイト、ロードナイト、ルベライト、マラカイト、トルマリン、スピネル、シトリン、アパタイト、アイオライトのいずれか、またはこれらの組み合わせであり得る。
【００３４】
第１伝達部２１０に使用されるジルコニアは、優れた強度、低い熱伝導性、人体に優しい特性を有する。したがって、ジルコニアを美容装置ヘッドの一部として使用すると、美容装置ヘッドの強度を確保することができる。
【００３５】
また、第１伝達部２１０は、後述する射出成形法を用いて形成されるので、第１伝達部２１０はユーザーが所望する形状を有するように製作され得る。したがって、本発明の一実施例による第１伝達部２１０は、従来の金属プレス加工により作られた美容装置ヘッドに比べて、様々な形状を有し得る。
【００３６】
また、第１伝達部２１０を製作した後、第１伝達部２１０の表面を研磨して、第１伝達部２１０の表面を約０．０４μｍ〜約０．１５μｍ範囲の平均表面粗さ（Ｒａ）を有するようにし得る。このような範囲の表面粗さ（Ｒａ）を有することにより、第１伝達部２１０と第２伝達部２２０との密着性を高めて、第２伝達部２２０が第１伝達部２１０から剥離されることを防止できる。
【００３７】
また、後述する図３〜図９の実施例のように、第１伝達部２１０の一部がユーザーの皮膚に直接接触する場合、このような平均粗さ（Ｒａ）を有することにより、ユーザーに優しい触覚が感じられるようにし得る。
【００３８】
また、第１伝達部２１０は、本体１００と結合できる結合部２１４を含み得る。一例示として、結合部２１４を第１伝達部２１０の縁に沿って形成された溝で採用し、溝は螺旋状をなすようにして、第１伝達部２１０を本体１００に対して回転させ、結合または分離させることができる。したがって、後述のように、多様な形状の美容装置ヘッド２００を本体１００に結合または分離させることができる。
【００３９】
第２伝達部２２０は、第１伝達部２１０の内表面２１１または外表面２１２の少なくとも一部を覆うように形成され、第２伝達部２２０は導電性物質からなり得る。例えば、導電性物質は、金、銀、スズ、亜鉛、ＳＴＳおよびアルミニウムの中の一つ以上から選択され得る。なお、第１伝達部２１０の表面は、内表面２１１と外表面２１２とからなるものと定義し得る。
【００４０】
このように、第２伝達部２２０を導電性物質により形成して、電流が流れるようにすることにより、本発明の一実施例による美容装置ヘッド２００は、プラズマ美容装置、高周波美容装置、ガルバニックイオン装置、冷温熱機能を有する美容装置などに適用することができる。
【００４１】
また、第２伝達部２２０が第１伝達部２１０の少なくとも一部を覆うようにすることにより、美容装置ヘッド２００の強度を向上させられる。
【００４２】
また、第２伝達部２２０により、第１伝達部２１０の少なくとも一部を覆うようにする様々な実施例については、後述の図２〜図９を参照して説明する。
【００４３】
図２〜図７は、美容装置ヘッド２００の形状に関する様々な実施例を示す。図２〜図７を参照すると、第１伝達部２１０の外表面２１２は様々な形状を有することができ、外表面２１２に対応する形状により第２伝達部２２０が第１伝達部２１０の外表面２１２の少なくとも一部を覆うことができる。
【００４４】
図２（ａ）は、本発明の一実施例による美容装置ヘッド２００の側断面図であり、図２（ｂ）は、美容装置ヘッド２００の正面図である。図２（ａ）および図２（ｂ）を参照すると、第２伝達部２２０は第１伝達部２１０の外表面２１２を全て覆うように提供され得る。
【００４５】
第２伝達部２２０の厚さ（Ｄ）は、１．０μｍ〜１００．０μｍ範囲であり得る。
【００４６】
第２伝達部２２０の厚さが１．０μｍ以下の場合、メッキおよび塗装、蒸着の厚さが薄いため工程不良率が高く、電気伝導度が低くなるという問題点が発生し得る。
【００４７】
また、第２伝達部２２０の厚さ（Ｄ）が１．０μｍ以下の場合、第２伝達部２２０に電流が安定して流れないという問題点が発生し得る。
【００４８】
第２伝達部２２０の厚さが１００．０μｍ以上の場合は、後述のように、超音波振動を第１伝達部２１０によってユーザーに伝達すると、第２伝達部２２０が第１伝達部２１０を覆っているので、ユーザーに超音波振動伝達効果が抑制され得る。
【００４９】
図３（ａ）は、本発明の他の実施例による美容装置ヘッド２００の側断面図であり、図３（ｂ）は、本発明の他の実施例による美容装置ヘッド２００の正面図である。
【００５０】
図３（ａ）を参照すると、第２伝達部２２０は第１伝達部２１０の外表面２１２の一部を覆う。第１伝達部２１０の外表面２１２は凸部２１６を含む。凸部２１６の形状は、後述する射出成形の型の形状に対応して形成され得る。また、凸部２１６の厚さは、図２において前述した第２伝達部２２０の厚さ１．０μｍ〜１００．０μｍ範囲と同一であり得る。
【００５１】
第２伝達部２２０は、凸部２１６の外表面２１６ａを除く第１伝達部２１０の外表面２１２を覆うことができ、第２伝達部２２０の厚さは、凸部２１６の厚さと同一である。このように、凸部２１６の厚さと第２伝達部２２０の厚さとを同一にして、ユーザーの皮膚に接触する美容装置ヘッド２００を滑らかに実現し得る。つまり、凸部２１６の外表面２１６ａと第２伝達部２２０の外表面２２２とは連続する平面、すなわち段差のない平面を形成し得る。
【００５２】
図３（ｂ）を参照すると、美容装置ヘッド２００を正面から見たとき、凸部２１６の形状は円形であり得る。ただし、その形状は制限されるものではなく、四角形、三角形など多様な形状であり得る。
【００５３】
図３（ｂ）に示すように、美容装置ヘッド２００を正面から見たとき、凸部２１６と第２伝達部２２０との表面積比は１：１〜４の間にあり得る。すなわち、第２伝達部２２０は、第１伝達部２１０の外表面２１２の５０％以上８０％以下を覆うように形成され得る。このような範囲は、ユーザーの皮膚状態に応じて、すなわち、超音波振動がさらに多く必要な皮膚の状態であるのか、高周波、プラズマ、ガルバニックイオン、冷温マッサージなどがさらに必要な皮膚状態であるのかによって、その比率が決定され得る。
【００５４】
図４（ａ）は、本発明のまた他の実施例による美容装置ヘッド２００の側断面図であり、図４（ｂ）は、本発明のまた他の実施例による美容装置ヘッド２００の正面図である。
【００５５】
図４を参照すると、第１伝達部２１０の外表面２１２に凹部２１８を形成し、第２伝達部２２０が凹部２１８に提供され得る。
【００５６】
また、図４に示す美容装置ヘッド２００のまた他の実施例は、図３に示す美容装置ヘッド２００に比べ、図３の凸部２１６の代わりに凹部２１８を形成したことに主な相違がある。
【００５７】
図３において、凸部２１６の外表面２１６ａと第２伝達部２２０の外表面２２２とは、連続する平面（段差のない平面）を形成するように提供されたものと同様、図４の実施例においては、第１伝達部２１０の外表面２１２と第２伝達部２２０の外表面２２２とが連続する平面、すなわち、段差のない平面を形成するように提供され得る。
【００５８】
また、図１０において後述するように、第１伝達部２１０に電流伝達部１６１と第２伝達部２２０とを連結するための通路２１７を形成し得る（図１０もともに参照）。例えば、通路２１７は、第１伝達部２１０の内表面２１１の中心を貫通するように形成されてもよく、第１伝達部２１０の結合部２１４と連結するように形成されても良い。ただし、通路２１７は、本体１００から第２伝達部２２０に電流が流れることができる導線が通過できる大きさであれば良く、その形状や模様が制限されるものではない。
【００５９】
図５（ａ）は、本発明のまた他の実施例による美容装置ヘッド２００の側断面図であり、図５（ｂ）は、本発明のまた他の実施例による美容装置ヘッド２００の正面図である。
【００６０】
図５（ａ）を参照すると、第１伝達部２１０に複数の溝２１９ａを形成し得る。また、図５（ｂ）のように美容装置ヘッドを正面から見たとき、複数の溝２１９ａを格子状のパターン形状を有するように配列し、複数の溝２１９ａに導電性物質を有する第２伝達部２２０を提供し得る。つまり、第２伝達部２２０は、格子状のパターン形状を有する。このような配列を有することにより、導電性の第２伝達部２２０が交差し、交差する第２伝達部２２０の間に第１伝達部２１０が提供されることにより、第１伝達部２１０による超音波振動と第２伝達部２２０による微弱電流または熱伝達などがユーザーの皮膚側に均一に行える。また、第１伝達部２１０の外表面２１２間の間隔ｔ１、ｔ２、ｔ３、つまり、第２伝達部２２０の格子状パターンに囲まれた第１伝達部２１０の外表面２１２の中心間の間隔ｔ１、ｔ２、ｔ３は一定に提供され得る。
【００６１】
図６（ａ）は、本発明のまた他の実施例による美容装置ヘッド２００の側断面図であり、図６（ｂ）は、本発明のまた他の実施例による美容装置ヘッド２００の正面図である。
【００６２】
図６の実施例は、図５の実施例に比べ、第２伝達部２２０の格子状パターンに囲まれた第１伝達部２１０の外表面２１２の中心間の間隔ｔ１、ｔ２、ｔ３は、ヘッドの中心（Ｘ）から離れるほど大きくなることを示す。
【００６３】
例えば、ヘッドの中心（Ｘ）を通る線（Ｂ−Ｂ’）を横切る第１伝達部２１０の外表面２１２の中心間の間隔ｔ１は５ｍｍ、次に隣接する間隔であるｔ２は１０ｍｍ、その次に隣接する間隔ｔ３は１５ｍｍ、さらにその次に隣接する間隔ｔ４は２０ｍｍのような配列を有し得る。このような間隔は、ヘッドの大きさ、ユーザーの皮膚に伝達しようとする超音波振動、微弱電流、および熱伝達の程度などを考慮して選択され得る。
【００６４】
なお、間隔ｔは、格子状の第２伝達部２２０の外表面２２２に囲まれているそれぞれの第１伝達部２１０の外表面２１２の中心間を連結した距離で表せる。
【００６５】
図６に示す実施例によると、第２伝達部２２０の外表面２２２をヘッドの中心Ｘに集中させ、第１伝達部２１０の外表面２１２をヘッドの縁に集中させることができるので、ヘッドの中心Ｘに微弱電流または温熱効果を集中させ、縁の方に超音波振動を集中させられる。
【００６６】
また、図６においては、第１伝達部２１０の外表面２１２の中心間の間隔ｔ１、ｔ２、ｔ３が線Ｂ−Ｂ’を基準に、縁の方へ行くほど大きくなることを示すが、逆に、第１伝達部２１０の外表面２１２間の間隔ｔ１、ｔ２、ｔ３が線Ｂ−Ｂ’を基準に縁の方へ行くほど近くなるように配置することもできる。
【００６７】
図７（ａ）は、本発明のまた他の実施例による美容装置ヘッド２００の側断面図であり、図７（ｂ）は、本発明のまた他の実施例による美容装置ヘッド２００の正面図である。
【００６８】
図７（ａ）を参照すると、第１伝達部２１０に溝２１９ｂを形成し得る。
【００６９】
また、図７（ｂ）のように美容装置ヘッドを正面から見たとき、溝２１９ｂをヘッドの中心Ｘを基準に、縁の方に向かって螺旋状を有するように配列し、複数の溝２１９ａに導電性物質を有する第２伝達部２２０を提供し得る。つまり、第２伝達部２２０は、ヘッドの中心Ｘを基準に回転する螺旋状を有する。このような配列を有することにより、第１伝達部２１０による超音波振動と第２伝達部２２０による微弱電流または熱伝達などとが、ユーザーの皮膚側に均一に行える。
【００７０】
図８および図９は、それぞれ、本発明のまた他の実施例による美容装置ヘッド２００の側断面図である。
【００７１】
図８および図９の実施例は、図２〜図７の実施例とは異なり、第２伝達部２２０が第１伝達部２１０の内表面２１１を覆うように形成された実施例を示す。この際、第２伝達部２２０は、第１伝達部２１０の内表面２１１の少なくとも一部を覆うことができる。例えば、第２伝達部２２０は、第１伝達部２１０の内表面２１１の全部または一部を覆うことができる。また、第２伝達部２２０が、第１伝達部２１０の内表面２１１を覆う形状は、前述の図２〜図７の形状を有し得るので、詳細な説明は省略する。
【００７２】
図８は、第１伝達部２１０の外表面２１２を半球状に形成し、内表面２１１を平面状に形成したものである。
【００７３】
図９は、第１伝達部２１０の厚さを一定に形成し、第１伝達部２１０の内表面２１１が半球状をなすように形成したものである。
【００７４】
このように、第２伝達部２２０を第１伝達部２１０の内側に形成するようにすることにより、第２伝達部２２０に電流を流すようにして第２伝達部２２０から熱を発生させられる。この場合、第２伝達部２２０で生成された熱は、第１伝達部２１０を通過してユーザーの皮膚に伝達され得る。また、この場合、第１伝達部２１０を人体に優しいジルコニアで形成し、第１伝達部２１０の外表面２１２がユーザーの皮膚に直接触れるようにすることにより、ユーザーが抵抗なく使用することができる。
【００７５】
図１０は、本発明の一実施例による凹部２１８を有する美容装置ヘッド２００と本体１００とを結合した美容装置１０を示す。なお、美容装置ヘッド２００は、図４に示す凹部２１８を有する美容装置ヘッド２００を例示するが、美容装置１０は、図８および図９に示す美容装置ヘッド２００を含むこともできる。
【００７６】
本体１００は、ハンドピース構造で射出成形されたケース１１０と、電流を発生させる電流発生部１６０と、発生した電流を第２伝達部２２０に伝達する電流伝達部１６１と、電流伝達部１６１を支持する支持部１５０とを含み得る。
【００７７】
電流発生部１６０から電流伝達部１６１への電流の伝達は、第２電線１６３により行われ、電流伝達部１６１から第２伝達部２２０への電流の伝達は、通路２１７に追加の電線を設けて行われる。
【００７８】
電流伝達部１６１は、ケース１１０に固定されている支持部１５０により支持され得る。また、電流伝達部１６１は、第２伝達部２２０と電気的に接続することさえできれば、その位置は限定されない。
【００７９】
電流伝達部１６１は、美容装置ヘッド２００が本体１００に着脱式で結合される場合、本体１００の電流発生部１６０と第２伝達部２２０との間の電気的接触を容易にする。
【００８０】
また、電流発生部１６０と第２伝達部２２０との間に電線を設け、電流伝達部１６１は選択的に提供され得る。つまり、電流伝達部１６１はあらず、電流発生部１６０で生成された微弱電流を、電線により直接第２伝達部２２０に伝達することもできる。
【００８１】
図１１（ａ）は、本発明の一実施例による凸部２１６を有する美容装置ヘッド２００と本体１００とを結合した美容装置１０を示し、図１１（ｂ）は、図１１（ａ）のＡ−Ａ’の断面図である。
【００８２】
図１１による実施例は、図１０の実施例に比べ、超音波発振回路１３０と、振動部１４０とをさらに含む。
【００８３】
図１１を参照すると、美容装置１０は、美容装置ヘッド２００および本体１００を含む。なお、美容装置ヘッド２００は、図３に示す凸部２１６を有する美容装置ヘッド２００を例示するが、美容装置１０は、図２、図５〜図７に示す美容装置ヘッド２００を含むこともできる。
【００８４】
超音波発振回路１３０は、本体１００の内部に搭載され得る。超音波発振回路１３０は、電源を利用して振動部１４０を加振させるが、その加振周波数は、接触部位の皮膚の血液循環を増加させたり、皮膚の内部組織の温度を上昇させたり、皮膚の脂肪分解を活性化させたり、皮膚の血液およびリンパ液の流れを促進させられる範囲内で定められるので、特定周波数の値に限定されない。
【００８５】
振動部１４０は、超音波発振回路１３０の電力供給を受けて超音波振動を発生させるように、本体１００の内部に配置され得る。具体的に、振動部１４０は、ケース１１０に固定されている支持部１５０によって支持され得る。
【００８６】
振動部１４０は、第１電線１３２を介して超音波発振回路１３０に電気的に接続され得、超音波発振回路１３０から印加される電力、信号によって振動して超音波を発生させられる。
【００８７】
第１伝達部２１０は、振動部１４０と物理的に接触し、ケース１１０および支持部１５０によって支持され得る。
【００８８】
第１伝達部２１０は、ケース１１０と着脱可能である。例えば、ケース１１０は、第１伝達部２１０の溝状の結合部２１４と結合するように、凸部１１４を備えられる。
【００８９】
また、結合部２１４を第１伝達部２１０の周囲に沿って形成された溝で採用し、溝は螺旋状に形成する場合、第１伝達部２１０を回転させて振動部１４０側に移動させられる。この場合、第１伝達部２１０と振動部１４０とを強固に接触させられる。このように、第１伝達部２１０と振動部１４０とを強固に接触させて、振動部１４０からの振動を第１伝達部２１０によりユーザーの皮膚に伝達することができる。
【００９０】
また、本体１００は、超音波発振回路１３０および振動部１４０とともに、電流を発生させる電流発生部１６０を含み得る。電流発生部１６０から第２伝達部２２０への電流の伝達は、第２電線１６３により行われる。この際、選択的に電流伝達部１６１を電流発生部１６０と第２伝達部２２０との間に配置することもできる。
【００９１】
電流伝達部１６１は、第２伝達部２２０および電流発生部１６０を電気的に接続する役割を果たすことさえできれば、その位置は限定されない。例えば、電流伝達部１６１は、ケースの凸部１１４の全面に形成されても良く、支持部１５０の上部に形成されても良い。
【００９２】
このように、本体１００は、第２伝達部２２０に電流を印加させるための電流発生部１６０と、第１伝達部２１０に超音波振動を伝達する振動部１４０および超音波発振回路１３０とを同時に有し得る。
【００９３】
また、本体１００は、超音波発振回路１３０と電流発生部１６０とに接続するバッテリー１２０を含み得る。なお、バッテリー１２０は、外部から入ってくる電源からエネルギーを充電した後、放電の際に超音波発振回路１３０および電流発生部１６０に電源を供給する役割を果たせる。なお、外部電源からバッテリー１２０は充電回路（図示せず）によって接続され得る。
【００９４】
また、前述の電流発生部１６０または電流伝達部１６１を、プラズマ発生部、高周波を発生させる高周波発生部、ガルバニックイオンを発生させるイオン発生部、冷温機能を果たす熱電素子により構成し得る。たとえば、冷温マッサージ機能を果たせる冷温マッサージ美容装置を実現しようとする場合は、電流伝達部１６１を熱電素子により形成し、電流発生部１６０によって制御される電流方向に応じて放熱または吸熱するように構成し得る。
【００９５】
また、本発明の一実施例による美容装置は、冷温マッサージ機能を果たすとともに、ガルバニックイオンや微弱電流を流すようにし得る。具体的には、第２伝達部２２０を導電性物質で提供し、第２伝達部２２０を介してガルバニックイオンまたは微弱電流を流すように提供し得る。
【００９６】
本発明の一実施例による美容装置ヘッドを使用する場合、従来のＳＴＳやチタン（Titanium）を使用する美容装置ヘッドに比べ、ヘッド実現の自由度を高められる。図１２は、図２〜図９に示す美容装置ヘッド２００の製造方法を説明するためのフローチャートである。
【００９７】
図１２を参照すると、本発明の一実施例による製造方法は、第１伝達部２１０の製造用混合原料として、着色剤粉末と、バインダー粉末と、非導電性成形原料とをブレンダーで混合して混合原料を準備する段階（Ｓ１００）を含み得る。
【００９８】
混合原料準備段階（Ｓ１００）により、着色剤粉末と、バインダー粉末と、非導電性成形原料とを混合して混合原料が作られる。混合原料の成分含有量または、それに対する重量パーセント（ｗｔ％）は、色相および材質によって異なり得る。第１伝達部２１０が外部に露出される、図３〜図９のような美容装置ヘッドの場合、第１伝達部２１０の色は、ユーザーの好みに応じて調節され得る。例えば、第１伝達部２１０がホワイトカラーまたはブラックカラーに製造することができ、ホワイトカラーの場合は、非導電性成形原料がジルコニア（ＺｒＯ２）であり得る。ジルコニアの固有の色は白色なので、別途の着色剤粉末は不要であり得る。例えば、非導電性成形原料がジルコニア粉末であると、ホワイトカラーの混合原料は、非導電性成形原料が８６．９ｗｔ％およびバインダー粉末が１３．１ｗｔ％であり得る。また、非導電性成形原料がジルコニア粉末の場合、ブラックカラーの混合原料は、非導電性成形原料が８３．９ｗｔ％およびバインダー粉末が１３．１ｗｔ％、ブラックピグメント（black pigment）である着色剤粉末が３ｗｔ％であり得る。
【００９９】
また、原料の準備段階（Ｓ１００）においては、添加物として遠赤外線を放出する機能性素材がさらに含まれてもよく、この場合、混合原料の成分含有量は調整され得る。
【０１００】
また、混合原料は、ジェットミキサーにより粉砕され得る。その結果、粉砕された混合原料は、３００〜３２０メッシュ（mesh）に対応する粒度分布を有し得る。
【０１０１】
この際、混合原料の３００〜３２０メッシュの値は、後述する第１伝達部２１０の成形段階（Ｓ３００）および焼結段階（Ｓ４００）において、最適の第１伝達部２１０を製作するための臨界的な値であり得る。すなわち、前記メッシュ値未満の粒度分布では、半製品状の第１伝達部２１０の取り扱いが難しくなり得、前記メッシュ値を超える粒度分布では、第１伝達部２１０の成形および焼結品質が低下され得るので、前記メッシュ値は臨界的な意味を有し得る。
【０１０２】
また、本実施例の製造方法は、第１伝達部２１０の外表面の形状を有するモールドに混合原料を供給する（Ｓ２００）。
【０１０３】
第１伝達部２１０の外表面の形状は、モールドの内部形状に対応するように射出し得る。
【０１０４】
混合原料の供給段階（Ｓ２００）の後、混合原料の粉末粒子を相互結合させるようにモールドを加圧して第１伝達部を成形する段階（Ｓ３００）を経る。
【０１０５】
第１伝達部２１０を成形する段階（Ｓ３００）は、モールドの加圧により混合原料の粉末粒子を相互結合させて第１伝達部２１０を作る一連の工程であり得る。
【０１０６】
第１伝達部成形する段階（Ｓ３００）は、混合された粉末状の混合原料が、モールドに対応した半製品状に作られる工程である。つまり、混合原料の粉末粒子が十分に結合して、次の工程である第１伝達部２１０を焼結させる段階（Ｓ４００）の処理に支障のない程度に、半製品状の第１伝達部２１０に対して機械的強度を与える過程であり得る。
【０１０７】
モールドは、プレート金型状の成形型、成形型を作動または支持するための油圧回路、およびアクチュエータなどを含む成形装置の通称であり得る。
【０１０８】
第１伝達部２１０を焼結させる段階（Ｓ４００）は、第１伝達部２１０を成形する段階（Ｓ３００）によって作られた半製品状の第１伝達部２１０を熱処理して、混合原料の粉末粒子相互間の拡散による化学的結合により、超音波伝達に必要な機械的強度および耐久性が前記第１伝達部２１０に形成される工程であり得る。
【０１０９】
第１伝達部２１０を焼結させる段階（Ｓ４００）の後、第１伝達部２１０を研磨する段階（Ｓ５００）を経る。
【０１１０】
第１伝達部２１０を研磨する段階（Ｓ５００）を経た第１伝達部２１０の角部位は、０．２〜０．３Ｒ（曲率）程度のラウンド部位に作られる。したがって、加振に伴う超音波振動や外部から加わる衝撃などの力が第１伝達部２１０に伝達されても、第１伝達部２１０の角部位などが局部的に破損しないようになり得るという利点がある。
【０１１１】
第１伝達部２１０を研磨する段階（Ｓ５００）以降は、第１伝達部２１０の外表面２１２の少なくとも一部を導電性の第２伝達部によりコーティングする段階（Ｓ６００）を含む。
【０１１２】
なお、コーティングとは、メッキ、塗装、蒸着などの後加工を含み得る。したがって、第２伝達部２２０は、第１伝達部２１０の製作後、第１伝達部２１０の表面にメッキ、塗装、蒸着などの後加工により形成され得る。
【０１１３】
また、図３〜図７のように、第１伝達部２１０のうち、第２伝達部２２０に覆われない部分に対しては（後加工のない部分）、マスキングＴａｐｅ、またはマスキング治具（Masking Jig）を用いてマスキングを行える。また、工程の後、第１伝達部２１０と第２伝達部２２０との連結部の間に滑らかでない部分がある場合（ムラがある場合）、さらにレーザーを用いてムラのある部分を後処理することもできる。このように、第１伝達部２１０を覆う導電性を有する第２伝達部２２０を形成することにより、導電性である第２伝達部２２０によって超音波、高周波、ガルバニックイオン、プラズマの放出や温度調節が可能な美容装置ヘッドが実現され得る。
【０１１４】
第２伝達部によりコーティングする段階（Ｓ６００）後、ユーザーの皮膚に接触する第２伝達部２２０または第１伝達部２１０の一部を滑らかにするために、さらに２次研磨工程を含むこともできる。
【０１１５】
以下では、前記のような美容装置ヘッド、美容装置および美容装置ヘッドを製造するための方法の作用および効果について説明する。
【０１１６】
ジルコニアは、優れた強度、低い熱伝導性を有する特性を有している。したがって、本発明の一実施例によるジルコニアを美容装置ヘッドの一部として使用すると、美容装置ヘッドの強度を確保することができる。
【０１１７】
また、本発明の一実施例によると、第２伝達部２２０により第１伝達部２１０を覆うようすることによって、美容装置ヘッド２００の強度を向上させられる。
【０１１８】
また、本発明の一実施例によると、第１伝達部２１０は、射出成形工法を用いて形成されるので、第１伝達部２１０は製作者が所望する形状を有するように製作され得る。したがって、第１伝達部２１０は、従来の金属プレス加工により作られた美容装置ヘッドに比べ、多様な形状を有し得る。
【０１１９】
また、本発明の一実施例によると、第１伝達部２１０を製作した後、第１伝達部２１０の表面を研磨して、第１伝達部２１０の表面を約０．０４μｍ〜約０．１５μｍ範囲の平均表面粗さ（Ｒａ）を有するようにすることができる。このような範囲の表面粗さ（Ｒａ）を有することにより、第１伝達部２１０と第２伝達部２２０との密着性を高めて、第２伝達部２２０が第１伝達部２１０から剥離されることを防止することができる。
【０１２０】
また、本発明の一実施例によると、第１伝達部２１０の凸部２１６の厚さと第２伝達部２２０の厚さを同一にして、ユーザーの皮膚に接触する美容装置ヘッド２００を滑らかに実現することができる。
【０１２１】
また、本発明の一実施例によると、第２伝達部２２０は、格子状のパターン形状および中心を基準に回転する螺旋状を有し得る。このような配列を有することにより、第１伝達部２１０による超音波振動と、第２伝達部２２０による電流および熱伝達などとが、ユーザーの皮膚側に均一に行われるので、皮膚を効果的に管理することができる。
【０１２２】
また、本発明の一実施例によると、第１伝達部２１０と振動部１４０とを強固に接触させて、振動部１４０からの振動を、第１伝達部２１０を介してユーザーの皮膚に伝達することができる。
【０１２３】
また、本発明の一実施例によると、第２伝達部２２０を第１伝達部２１０の内側に形成することができる。この場合、第２伝達部２２０に熱を発生させ、発生した熱を、第１伝達部２１０を通過するようにすることにより、ユーザーの皮膚に熱を伝達し、すなわち、ユーザーの皮膚に冷温マッサージを行える。
【０１２４】
また、本発明の一実施例によると、第１伝達部２１０を人体に優しいジルコニアで形成し、第１伝達部２１０の外表面２１２がユーザーの皮膚に直接接触するようにすることによって、ユーザーが抵抗なく使用することができる。
【０１２５】
また、本発明の一実施例によると、本体１００は、第２伝達部２２０に電流を印加させるための電流発生部１６０と、第１伝達部２１０に超音波振動を伝達する振動部１４０および超音波発振回路１３０とを同時に有し得る。この場合、第１伝達部２１０を介して超音波振動をユーザーの皮膚に伝達し、第２伝達部２２０を介して微弱電流や、様々な温度範囲の熱などを皮膚に伝達し得るので、皮膚を効果的に管理することができる。
【０１２６】
一方、本実施例では、美容装置ヘッドが、導電性物質が非導電性物質の内側または外側において少なくとも一部を覆うか、または少なくとも一部の表面に配置される形状で提供されることを例に挙げて説明したが、本発明の思想はこれに限定されない。
【０１２７】
以上、本発明の実施例による美容装置ヘッド、美容装置および美容装置ヘッドを製造するための方法を具体的な実施例として説明したが、これは例示に過ぎないものであり、本発明はこれに限定されないものであり、本明細書に開示された基礎思想に従う最も広い範囲を有するものと解釈されるべきである。
【０１２８】
当業者は、開示された実施例を組み合わせ、置換して摘示されていない形状のパターンを実施し得るが、これもまた本発明の範囲を逸脱しないものである。加えて、当業者は、本明細書に基づいて開示されている実施形態を容易に変更または変形することができ、これらの変更または変形も本発明の権利範囲に属することは明らかである。
【符号の説明】
【０１２９】
１０：美容装置
１００：本体
１１０：ケース
１２０：バッテリー
１３０：超音波発振回路
１４０：振動部
１５０：支持部
１６０：電流発生部
１６１：電流伝達部
２００：美容装置ヘッド
２１０：第１伝達部
２１１：第１伝達部の内表面
２１２：第１伝達部の外表面
２２０：第２伝達部
２２２：第２伝達部の外表面
【図１】
2020075130.tif 000003
【図２】
2020075130.tif 000004
【図３】
2020075130.tif 000005
【図４】
2020075130.tif 000006
【図５】
2020075130.tif 000007
【図６】
2020075130.tif 000008
【図７】
2020075130.tif 000009
【図８】
2020075130.tif 000010
【図９】
2020075130.tif 000011
【図１０】
2020075130.tif 000012
【図１１】
2020075130.tif 000013
【図１２】
2020075130.tif 000014